(57)【要約】      （修正有）【課題】カメラの撮影者が自身を被写体として撮影する際、被写体側から目視にて構図を確認できる様にした自己撮影位置合せ凸面鏡を提供する。【解決手段】凸面鏡１をカメラレンズ取り付け面８に設け、鏡面に映った被写体の位置関係を目視で確認しながら、カメラレンズ９の高低及び角度を調節することによって的確な構図での撮影を可能とする。【選択図】図１
0003146939.tif 000002
【実用新案登録請求の範囲】
【請求項１】
カメラのレンズ取り付け面の何れかの場所に配置できる自己撮影位置合わせ凸面鏡。
【請求項２】
鏡面の中心に目印がある事を特徴とする請求項１記載の自己撮影位置合わせ凸面鏡。
【請求項３】
鏡面のＲ数値が２０ミリメートルから２００ミリメートルの範囲内である事を特徴とする請求項１記載の自己撮影位置合わせ凸面鏡。
【請求項４】
何れかの場所に指で押さえる突起部分を設けた請求項１記載の自己撮影位置合わせ凸面鏡。
【請求項５】
請求項４記載の突起部分にストラップ通し用の穴を有する事を特徴とする自己撮影位置合わせ凸面鏡。
【請求項６】
請求項１、請求項２、請求項３記載の自己撮影位置合わせ凸面鏡の特徴を備えたカメラ。
【考案の詳細な説明】
【技術分野】
【０００１】  本考案は、カメラ撮影者が自身を撮影する際、自身と他の被写体との構図を目視しながらカメラレンズの位置及び角度を調節する事ができる凸面鏡に関する。
【背景技術】
【０００２】  従来、デジタルカメラ、フイルムカメラ、ビデオカメラ等の撮影において撮影者が自身を被写体として撮影する場合は、自身と一緒にフレームに収まりたい人物、風景等にレンズを向けるが、その際カメラレンズの位置及び角度はおおよその感覚で固定してシャッター又は録画ボタンを押した。【０００３】  また、携帯電話のカメラ、デジタルムービーカメラに見られるように液晶モニターが自由に角度を変えることができて、被写体側から撮影状況の確認を出来るデジタルカメラ（例えば、非特許文献１参照）もあった。【０００４】
【非特許文献１】「ソニー社ソニーサイバーショット  ＤＳＣ−Ｍ１２００４年１０月発売」
【考案の開示】
【考案が解決しようとする課題】
【０００５】  液晶モニターが回転する仕様のデジタルカメラ（非特許文献１）はコンパクト化がめまぐるしく進みほとんど見られなくなり、ファインダーや液晶モニターが動かないカメラを用いて撮影者自身を撮影する際は、自分と他の被写体におおよその感覚でレンズを向けて撮影したが、出来上がった写真は撮影以前に想定した構図構成とはかけ離れる場合が多く問題があった。【０００６】  本考案は、フイルムカメラや回転機能が無い液晶モニターを備えたデジタルカメラ及びデジタルビデオカメラで撮影者自身がフレームのどの位置にいるかを簡単に確認できる事を目的とするものである。
【課題を解決するための手段】
【０００７】  そして、本考案は上記目的を達成するために、撮影者が自分を含めた被写体が映ることのできるガラス鏡、鏡面の金属、もしくはプラスチックに樹脂メッキで鏡面加工仕上げを施したもの等の鏡面素材をレンズ取り付け面に設け、鏡面板に映った背景と自分の位置を目視することによって撮影構図の確認を可能とした。
【考案の効果】
【０００８】  以下、本発明の実施の形態を図１〜図１３に基づいて説明する。【０００９】  撮影者がカメラをもちシャッターに指をかけ自身に焦点を合わせてレンズを向ける状況においては、撮影者の腕の長さが被写体である自身のピントの最大距離となり非常に近いため、液晶モニターでの目視と同等の撮影状況を「０００７」で記載した鏡面板に求める場合、広域に映り込むことが出来る凸面の反射鏡（以後は凸面鏡１と記す）とした。
【考案を実施するための最良の形態】
【００１０】  焦点距離が一般的な３５ｍｍレンズから広角撮影２４ｍｍレンズの機能を備えたカメラに「０００９」で記載した凸面鏡を活用する為には、図１の使用例で示した様に凸面鏡１の面積がカメラ８レンズ取り付け面に収まる範囲内とした場合は、凸面鏡のＲ数値を２０ｍｍから２００ｍｍ範囲内にすることで被写体の構図が目視確認可能となる。【００１１】  また、本考案は凸面鏡表面に細工を施さない場合であっても十分に効果はあるが、凸面鏡の中心に穴を開ける等の目印２を施す事により、図４で示した様にツーショットで撮影した際等に、鏡面に映った被写体の中央位置が分かりやすくなり、目印を設けない場合よりも素早く細かいカメラレンズの高低、角度の調節が可能となる。【００１２】  例として、焦点距離３５ｍｍレンズの性能を持つコンパクトデジタルカメラで撮影する場合は図７で示した３５ｍｍフレームのサイズ１１で撮影されるが、図５の様にＲ数値を２０ｍｍ（２２）として面積の直径を２０ｍｍ（２０）に設定した図２の円形の凸面鏡を使用した場合、図８のように広角となり被写体が小さく映り込み全体が見渡せるが実際には写らない被写体１２までが凸面鏡に映り込んでしまう。【００１３】  もう一つの例として、焦点距離２４ｍｍレンズの広角機能をもつコンパクトデジタルカメラで撮影する場合は図７で示した２４ｍｍフレームのサイズ１０で撮影されるが、図６の様にＲ数値を２００ｍｍ（１９）、面積の直径を２０ｍｍ（２０）に設定した図２の円形の凸面鏡を使用した場合、図８で示した様に中央付近の被写体本人１６だけが大きく映り、図７で示した鏡面内に映らなければならない被写体１３は円形の凸面鏡内に収まらず、円形の凸面鏡の場合においては直径をかなり大きくする必要がありコンパクトデジタルカメラの利便性に支障を起こす。【００１４】  「００１２」「００１３」の例から、上記範囲内の設定で凸面鏡のＲ数値と面積を決定することが好ましい。【００１５】  また、凸面鏡の中心を印す方法としてペイントは勿論ではあるが、穴２を開けることの出来る凸面鏡素材であれば数ミリの穴を開けて光を反射しない部分を作ることが特に有効である。【００１６】  さらに、凸面鏡の形状においては円形に限らず四角形２３等様々な形状が考えられる。
【実施例１】
【００１７】  「考案を実施するための最良の形態」で述べた凸面鏡の設置法としては図１０及び図１１で示した様にカメラボディ自体に設ける事ができる。
【実施例２】
【００１８】  脱着式としては、凸面鏡を図１で示した様に左手で構えた場合シャッター６で押す以外の指７で突起部分４を押さえ固定させる事ができる。【００１９】  上記「００１８」の脱着式の凸面鏡の場合は図２で示した様に、ストラップ用紐通し穴３に紐等を通してカメラに設けてあるネックストラップもしくはハンドストラップ用の穴と結ぶ事により、アクセサリーとして必要な時に素早く使用することができる。
【実施例３】
【００２０】  また、別の設置法として凸面鏡の裏面に粘着テープ等の固定部材を用いてカメラボディに固定させる事ができる。
【実施例４】
【００２１】  前記「００１８」の脱着式の凸面鏡に関しては、図３で示した裏面部分５に両面テープを用い、剥離紙をはがさずに指で突起部分を押さえ固定させる場合と、図１２で示した様に剥離紙をはがし接着固定させる場合の両方の機能を備える事ができる。
【実施例５】
【００２２】  さらに、図１３で示した様に脱着式の凸面鏡の場合はプラスチック、ゴム、シリコンゴム等の素材から成る台座に凸面鏡２３をはめ込み接着固定し、「実施例２」で述べた突起部分４と同様に指抑え部分２５に指を用いてカメラに固定させる事ができる。【００２３】  上記「００２２」で述べた、台座の指抑え部分にはストラップ用紐通し穴３を設けてカメラ本体と紐等で結ぶ事ができる。
【産業上の利用可能性】
【００２４】  上述したように本考案は、シャッターを押す事を依頼する第三者がそばにいない場合でも手軽にツーショットが撮れ、一人旅行でも簡単に自分を含めた様々な被写体との正確な構図撮影の効果が得られる。
【図面の簡単な説明】
【００２５】
【図１】    本考案、凸面鏡の実施形態及びその使用例を示す正面図である。
【図２】    上記実施例２全体の正面図である。
【図３】    上記実施例２全体の側面図である。
【図４】    上記実施例２に被写体が映った様子を表す正面図である。
【図５】    Ｒ数値２０ｍｍ凸面鏡を側面から見たＲ数値を求める方法の説明図である。
【図６】    Ｒ数値２００ｍｍ凸面鏡を側面から見たＲ数値を求める方法の説明図である。
【図７】    ２４ｍｍと３５ｍｍの焦点距離レンズで写る撮影範囲の違いを示した説明図である
【図８】    図７の被写体がＲ数値２０ｍｍ直径２０ｍｍの円形凸面鏡に映り込んだ様子を表す正面図である。
【図９】    図７の被写体がＲ数値２００ｍｍ直径２０ｍｍの円形凸面鏡に映り込んだ様子を表す正面図である。
【図１０】    上記実施例１全体の正面図である。
【図１１】    上記実施例１全体の側面の断面図である。
【図１２】    上記実施例４の両面テープ剥離紙をはがし接着固定させた様子を表す正面図である。
【図１３】    上記実施例５全体の正面図である。
【符号の説明】
【００２６】１  凸面鏡。
２  凸面鏡の中心を示す目印。
３  ストラップ用紐通し穴。
４  指で固定する突起部分。
５  凸面鏡の裏面に設けた接着面。
６  シャッター。
７  凸面鏡を固定する撮影者の指。
８  カメラ。
９  レンズ。
１０  焦点距離２４ｍｍレンズのフレームサイズ。
１１  焦点距離３５ｍｍレンズのフレームサイズ。
１２  実際には写らない被写体。
１３  実際に写るはずの被写体。
１４  Ｒ数値２００ｍｍを示す。
１５  Ｒ数値を計測する際の円の中心点。
１６  大きく映った撮影者自身。
１７  カメラボディ自体に設けた凸面鏡部分。
１８  接着された凸面鏡。
１９  Ｒ数値２００ｍｍの鏡面。
２０  円形凸面鏡の直径２０ｍｍを示す。
２１  Ｒ数値２０ｍｍの鏡面。
２２  Ｒ数値２０ｍｍを示す。
２３  四角形の凸面鏡。
２４  凸面鏡とは違う素材から成る台座。
２５  （２４）台座と同素材からなる指抑え部分。
【図１】
0003146939.tif 000003
【図２】
0003146939.tif 000004
【図３】
0003146939.tif 000005
【図４】
0003146939.tif 000006
【図５】
0003146939.tif 000007
【図６】
0003146939.tif 000008
【図７】
0003146939.tif 000009
【図８】
0003146939.tif 000010
【図９】
0003146939.tif 000011
【図１０】
0003146939.tif 000012
【図１１】
0003146939.tif 000013
【図１２】
0003146939.tif 000014
【図１３】
0003146939.tif 000015
【手続補正書】
【提出日】平成20年9月5日(2008.9.5)
【手続補正１】
【補正対象書類名】実用新案登録請求の範囲
【補正対象項目名】請求項１
【補正方法】変更
【補正の内容】
【請求項１】
カメラのレンズ取り付け面の何れかの場所に配置できる、裏面に固定部材を取り付けた自己撮影位置合わせ凸面鏡。
【手続補正２】
【補正対象書類名】実用新案登録請求の範囲
【補正対象項目名】請求項２
【補正方法】変更
【補正の内容】
【請求項２】
鏡面の中心に目印として穴がある事を特徴とする請求項１記載の自己撮影位置合わせ凸面鏡。
【手続補正３】
【補正対象書類名】実用新案登録請求の範囲
【補正対象項目名】請求項６
【補正方法】変更
【補正の内容】
【請求項６】
請求項１、請求項２、請求項３のいずれか一項に記載の自己撮影位置合わせ凸面鏡を備えたカメラ。